(57)【要約】【課題】送信専用機として使用したい通信装置において、相手先に自機電話番号を通知しないように設定する際のわかりにくさ、煩雑さを排除する。【解決手段】自機が送信専用機であるか否かをオペレータが設定することが可能な機能設定手段と、通信相手先に自機電話番号を通知するかどうかを決定する番号通知判断手段とを有し、前記機能設定手段において自機が送信専用機であるという設定がなされている場合には、前記番号通知判断手段は通信相手先に自機電話番号を通知しないと決定することを特徴とする通信装置。【選択図】　　　　図１
2004007192.tif 000002
【特許請求の範囲】
【請求項１】
通信時に通信相手先に自機電話番号を通知することが可能な通信装置において、
自機が送信専用機であるか否かをオペレータが設定することが可能な機能設定手段と、
通信相手先に自機電話番号を通知するかどうかを決定する番号通知判断手段とを有し、
前記機能設定手段において自機が送信専用機であるという設定がなされている場合には、前記番号通知判断手段は通信相手先に自機電話番号を通知しないと決定することを特徴とする通信装置。
【請求項２】
前記通信装置はファクシミリ装置であることを特徴とする請求項１記載の通信装置。
【請求項３】
通信時に通信相手先に自機電話番号を通知することが可能な通信制御工程において、
自機が送信専用機であるか否かをオペレータが設定することが可能な機能設定工程と、通信相手先に自機電話番号を通知するかどうかを決定する番号通知判断工程とを有し、前記機能設定工程において自機が送信専用機であるという設定がなされている場合には、
前記番号通知判断工程は通信相手先に自機電話番号を通知しないと決定することを特徴とする通信制御の記憶装置。
【請求項４】
前記通信制御はファクシミリ通信の制御であることを特徴とする請求項３記載の通信制御の記憶装置。
【発明の詳細な説明】
【０００１】
【発明の属する技術分野】
本発明は、通信装置および通信制御の記憶装置に関する。
【０００２】
【従来の技術】
電話回線を通じて相手先と通信を行う通信装置においては、自機の電話番号を相手先に通知する手段を有していることが多い。例えば相手先と画像伝送を行うファクシミリ装置においては、相手先に自機の電話番号を通知する手段として、通信プロトコル上において相手先に自機電話番号を通知する方法や、自機電話番号情報を画像データに変換し送信画像と結合して相手先に送付する方法など複数の方法が一般的に用いられている。また、これらに加えて、通信網のサービスとして、相手先に自機の電話番号が伝えられる場合もある。
【０００３】
このように、相手先に電話番号が通知された場合、相手先のオペレータはその電話番号が送り主の電話番号であると判断し、その電話番号宛に返信をすることがしばしばある。これらの電話番号通知手段は、装置や網が自動的に行うのが一般的であり、オペレータによる煩わしい操作を必要とせずに相手先に電話番号を伝えることができる便利な機能として利用されてきた。
【０００４】
【発明が解決しようとする課題】
しかしながら、近年、企業などにおいては、複数の電話回線を有し、送信専用端末、受信専用端末といった使い分けをするところが増えてきた。このような使用形態を取る場合には、送信専用端末の電話番号を相手に伝える必要はない。送信専用端末の電話番号が相手に知られてしまうと、その電話番号宛に通信がくる可能性が高くなるため、むしろ電話番号を知られないようにしなければならない。従来の通信装置では、オペレータが特に意識せずに自動的に相手先に電話番号を通知していたため、送信専用端末用として使用したい電話番号が相手先に知られてしまい、相手がその電話番号宛に送信を行ってしまうケースがあった。特に、端末の用途を送受信兼用から送信専用に変更した場合には、通信装置に登録された電話番号をオペレータが意識的に削除したり、網サービスを利用して電話番号を伝えないように設定し直したりする必要があった。
【０００５】
また、ファクシミリ装置のように、電話番号通知手段が複数存在する場合には、装置の設定内容を何ヶ所も変更しなければならないという煩わしさがあった。
【０００６】
本発明は、上述の課題に鑑みてなされたもので、オペレータが通信装置の使用目的を設定することによって相手先に電話番号を通知するか否かを決定する通信装置および制御方法を提供し、相手先に自機電話番号を通知しないように設定するための操作上のわかりにくさを排除すること、また、複数の電話番号通知手段を有する端末においては、設定を何ヶ所も変更しなければならないという操作上の煩わしさを排除することを目的とする。
【０００７】
【課題を解決するための手段】
上記の目的を達成するために、本発明の請求項１記載の通信装置は、通信時に通信相手先に自機電話番号を通知することが可能な通信装置において、自機が送信専用機であるか否かをオペレータが設定することが可能な機能設定手段と、通信相手先に自機電話番号を通知するかどうかを決定する番号通知判断手段とを有し、前記機能設定手段において自機が送信専用機であるという設定がなされている場合には、前記番号通知判断手段は通信相手先に自機電話番号を通知しないと決定することを特徴とする。
【０００８】
また本発明の請求項２記載の通信装置は、請求項１において、前記通信装置とはファクシミリ装置であることを特徴とする。
【０００９】
また本発明の請求項３記載の通信制御の記憶装置は、通信時に通信相手先に自機電話番号を通知することが可能な通信制御工程において、自機が送信専用機であるか否かをオペレータが設定することが可能な機能設定工程と、通信相手先に自機電話番号を通知するかどうかを決定する番号通知判断工程とを有し、前記機能設定工程において自機が送信専用機であるという設定がなされている場合には、前記番号通知判断工程は通信相手先に自機電話番号を通知しないと決定することを特徴とする。
【００１０】
また本発明の請求項４記載の通信制御の記憶装置は、請求項３において、前記通信制御とはファクシミリ通信の制御であることを特徴とする。
【００１１】
（作用）
以上のような請求項１記載の通信装置および請求項３記載の通信制御の記憶装置では、オペレータによって自機が送信専用機であるという設定がなされた場合には、通信時に通信相手先に自機電話番号を通知しないようにする。
【００１２】
請求項２記載の通信装置および請求項４記載の通信制御の記憶装置では、特にファクシミリ装置およびファクシミリ通信制御の記憶装置において同様の機能を実現する。
【００１３】
【発明の実施の形態】
以下、図面を参照して、本発明の実施例を説明する。ここでは通信装置として、特にファクシミリ装置に関して、本発明の実施例を説明する。
【００１４】
図１は本発明の実施例に係るファクシミリ装置の構成を示すブロック図である。
【００１５】
同図において、ＣＰＵ１０１は、システム制御部であり、装置全体を制御する。
【００１６】
ＲＯＭｌ０２は、ＣＰＵの制御プログラムを格納するものである。通信相手先に自機電話番号を通知するかどうかを決定する番号通知判断手段もＲＯＭ１０２内の制御プログラムに含まれる。ＲＡＭ１０３は、ＳＲＡＭ等で構成され、プログラム制御変数等を格納するためのものである。また、オペレータが登録した送信宛先や各種設定値、装置の管理データ類、各種ワーク用バッファもＲＡＭ１０３に格納されるものである。後述の本実施例の動作で説明する自機電話番号や送信専用機であることを示すフラグ等もＲＡＭ１０３に格納される。蓄積メモリ１０４は、ＤＲＡＭ等で構成され、画像データを蓄積するものである。外部表示部１０５は、ＬＣＤ，ＬＥＤ等でユーザに表示通知するためのものである。スピーカ１０６は、音声によってユーザに通知、警告をしたり、ＰＳＴＮ回線１０９またはＩＳＤＮ回線１１１を通して送受している信号音をモニターしたりするものである。ＭＯＤＥＭ１０７は、ファクシミリの送受信信号の変復調を行うものであり、ＮＣＵ１０８は、選択信号（ダイヤルパルスまたはトーンダイヤラ）をＰＳＴＮ回線（アナログ公衆回線網）１０９に送出する機能を有し、呼び出し信号の検出による自動着信動作も行う。ＣＣＵｌ１０はＩＳＤＮ回線（総合デジタル通信網）１１１と接続するための回線制御を行う。画像処理部１１２は、読み取られた画像データに補正処理を施して高精細な画像データを出力するものである。スキャナ１１３は、ＣＳイメージセンサ、原稿搬送機構などで構成され、原稿を光学的に読み取って電気的な画像データに変換するものである。操作部１１４は、キーボード、タッチパネル等で構成され、オペレータが各種入力操作を行うためのものである。プリンタフォーマッタ１１５は、ワークステーションなど外部機器からのファイルデータのプリントを行う際に、プリンタ記述言語を解析し、画像データに変換するものである。プリンタ１１６は、受信画像やファイルデータを記録紙に記録する装置である。
【００１７】
図２は、本発明の実施例に係るファクシミリ装置の動作を示すフローチャートである。
【００１８】
以下、図１および図２を参照して、本実施例に係るファクシミリ装置の動作を説明する。本実施例に係るファクシミリ装置の通信においては、相手先に自機電話番号を通知する
手段として、第一にＧ３ファクシミリの手順信号による方法、第二にＧ４ファクシミリの手順信号による方法、第三に画像データとして送信画像に付加して送出する方法、第四に網サービスによる方法の四通りの方法が存在する。
【００１９】
第一の方法は、ＩＴＵ−Ｔにより勧告化されているＧ３ファクシミリの手順によるもので、オペレータによって自機に登録された電話番号を手順信号ＴＳＩまたはＣＳＩによって送出するものである。この方法はＧ３ファクシミリ通信が行われるときにのみ実行できるものであり、一度の通信動作で後述する第二の方法と併用することはできない。
【００２０】
第二の方法は、同様にＩＴＵ−Ｔにより勧告化されているＧ４ファクシミリの手順によるもので、オペレータによって自機に登録された電話番号を手順信号ＣＳＳによって送出するものである。この方法はＧ４ファクシミリ通信が行われるときにのみ実行できるものであり、一度の通信動作で前述の第一の方法と併用することはできない。
【００２１】
第三の方法は、ファクシミリ通信で一般的に用いられている手法で、オペレータによって自機に登録された電話番号の文字列情報または数値情報を画像データに展開し、読み込み画像の先頭に付加して、送信画像の一部として相手に電話番号情報を送出するものである。
【００２２】
第四の方法は、網サービスによるもので、「発信者番号を通知する」という網契約のときには、通信時に網から着信側に電話番号情報が通知されるものである。ここでは、「発信者番号を通知する」という網契約であっても、発呼時にオペレータが相手先電話番号をダイヤルする前に「１８４」をダイヤルすれば発信者番号を通知しないという形態の網サービスである。本実施例におけるファクシミリ装置は「発信者番号を通知する」という網契約をしているものとする。
【００２３】
また、本ファクシミリ装置では、オペレータが操作部１１４を操作することによって、あらかじめ自機の電話番号を装置に記憶させることができる。この自機電話番号はＲＡＭ１０３に格納される。ここに格納された電話番号は、前記第一の方法および第二の方法および第三の方法によって相手先に電話番号情報を送出する場合に使用される。
【００２４】
さらに、本ファクシミリ装置では、オペレータが操作部１１４を操作することによって自機が送信専用機であるかどうかを設定することができる。自機が送信専用機であると設定された場合には、ＲＡＭ１０３内の送信専用機であることを示すフラグが立てられる。
【００２５】
本ファクシミリ装置で通信が行われる場合には、以下の処理が行われる。
【００２６】
まず、ＲＯＭ１０２内の制御プログラムに含まれた番号通知判断手段は、ＲＡＭ１０３内の「自機が送信専用機であることを示すフラグ」が立っているかどうかを検出する（Ｓ２０１）。ここで、前記フラグが立っていない場合には、前記通知判断手段は、自機の電話番号を相手に通知することを決定する（Ｓ２０２）。すなわち、前述の第一の方法、第二の方法、第三の方法、第四の方法のうちの少なくとも一つの方法によって相手先に自機電話番号を通知する。
【００２７】
Ｓ２０１において、前記フラグが立っている場合には、前記通知判断手段は、自機の電話番号を相手に通知しないことを決定する（Ｓ２０３）。すなわち、前記第一の方法または第二の方法または第三の方法によって相手先に電話番号を通知する手段は実行しない。また、相手先電話番号の先頭に自動的に「１８４」を付加することで、第四の方法によって相手先に電話番号が伝わることも防ぐ。
以上のような処理によって、オペレータによって自機が送信専用機であるという設定がなされた場合には、通信時に通信相手先に自機電話番号を通知しないようにすることが可能になる。
【００２８】
本実施例では、端末自体が送信専用か否かを設定できる場合を例示したが、回線ごとに送信専用か否かを決定できる場合やユーザ名またはユーザＩＤごとに送信専用か否かを決定できる場合などにも同様の方法を用いることができる。
【００２９】
なお、以上のような動作はＣＰＵ１０１がＲＯＭ１０２やＲＡＭ１０３に記憶したプログラムに基づいて実行するものであるが、本発明は、このようなプログラムをフロッピー（Ｒ）ディスクやハードディスク、光ディスク、光磁気ディスク、ＣＤ−ＲＯＭ、メモリカード等の各種記憶媒体に格納し、これを専用の読取装置によって、コンピュータ等の情報処理装置またはファクシミリ装置内に取り込み、これをＣＰＵ１０１で実行するようにしてもよい。
【００３０】
また、以上の実施例では、一般的なファクシミリ装置を例に説明したが、本発明はこれに限らず、例えばコピー機能や電子ファイル機能、プリンタ機能、データ処理機能等を通信機能と複合させたファクシミリ装置や電話機、読取回路や記録回路と分離された通信装置、あるいは、コンピュータ等の情報処理装置におけるデータ通信制御においても、同様に適用し得るものである。
【００３１】
【発明の効果】
以上説明したように、本発明によれば、オペレータが通信装置の使用目的を「送信専用」と設定することによって相手先に電話番号を通知しないようにすることができる。これによって、相手先に自機電話番号を通知しないように設定するための操作上のわかりにくさを排除すること、また、複数の電話番号通知手段を有する端末においては、設定を何ヶ所も変更しなければならないという操作上の煩わしさを排除することが可能になる。
【図面の簡単な説明】
【図１】本発明の一実施例によるファクシミリ装置の構成を示すブロック図である。
【図２】上記実施例によるファクシミリ装置の動作を示すフローチャートである。
【符号の説明】
１０１　ＣＰＵ
１０２　ＲＯＭ
１０３　ＲＡＭ
１０４　蓄積メモリ
１０５　外部表示部
１０６　スピーカ
１０７　ＭＯＤＥＭ
１０８　ＮＣＵ
１０９　ＰＳＴＮ回線
１１０　ＣＣＵ
１１１　ＩＳＤＮ回線
１１２　画像処理部
１１３　スキャナ
１１４　操作部
１１５　プリンタフォーマッタ
１１６　プリンタ
【図１】
2004007192.tif 000003
【図２】
2004007192.tif 000004